(57)【要約】【課題】レンズモジュールが全体として長く、且つ重いことでグレアとなり易く、結像品質を低下させるという課題を解決する。【解決手段】本発明によるレンズモジュールは、鏡筒１とレンズ群２とを備え、レンズ群２は鏡筒１内に取り付けられる。鏡筒１は、水平方向に延伸する第１の筒壁１１と、第１の筒壁１１から折り曲がる第２の筒壁１２とを備え、レンズモジュールは、鏡筒１内に設けられており、且つ第１の筒壁１１とレンズ群２との間に設けられている遮光シート３を更に備える。遮光シート３及びレンズ群２は、物体側から像側まで順に配列される。遮光シート３の使用は、鏡筒１の長さを短くするので、鏡筒１を成形するときの困難さを低下させて、鏡筒1の良品率を向上させる。【選択図】図１
2017090877.tif 000002
【特許請求の範囲】
【請求項１】
水平方向に延伸する第１の筒壁と、前記第１の筒壁から折曲って延伸する第２の筒壁とを備える鏡筒と、前記鏡筒内に取り付けられているレンズ群を備えるレンズモジュールにおいて、
前記レンズモジュールは、前記鏡筒内に設けられており、且つ前記第１の筒壁と前記レンズ群との間に設けられている遮光シートを更に備え、前記遮光シート及び前記レンズ群は物体側から像側まで順に配列されていることを特徴とするレンズモジュール。
【請求項２】
前記遮光シートは中央に開口部を有するリング状の構造であることを特徴とする請求項１に記載のレンズモジュール。
【請求項３】
前記レンズ群は第１のレンズを含み、前記第１のレンズは第１の光学部と、前記第１の光学部を取り囲む第１の支持部とを備え、前記遮光シートは前記第１の筒壁と前記第１の支持部との間に挟まれていることを特徴とする請求項２に記載のレンズモジュール。
【請求項４】
前記第１の光学部の光軸方向による正投影は少なくとも部分的に前記遮光シート上に位置することを特徴とする請求項３に記載のレンズモジュール。
【請求項５】
前記第１のレンズには前記第１の支持部から前記第１の筒壁へ延伸するボスが設けられおり、前記遮光シートは部分的に前記ボスに位置することを特徴とする請求項３に記載のレンズモジュール。
【請求項６】
前記遮光シートには通光孔が形成されており、前記レンズ群の軸心は、前記通光孔の軸心と同一の直線上に位置することを特徴とする請求項４に記載のレンズモジュール。
【発明の詳細な説明】
【技術分野】
【０００１】
本発明は、光学的結像の技術分野に属し、特にカメラ、ビデオカメラ、携帯電話、パネルコンピュータ、ノートパソコン等の電子デバイスに用いられるレンズモジュールに関する。
【背景技術】
【０００２】
従来、撮像技術の発展及び撮影機能を有する電子製品の進化に伴い、光学撮像レンズモジュールは各種の製品に広く応用されている。現在の電子製品では、体積がますます小さくなるという傾向を満たすために、レンズモジュールの体積も小型化しなければならない。
従来技術では、レンズモジュールは、レンズ鏡筒と、前記レンズ鏡筒内に設けられるレンズと、レンズ同士に挟まれた遮光シートと、を備える。前記レンズ鏡筒は、水平方向に伸びている第１の筒壁と、前記第１の筒壁から折曲って伸びている第２の筒壁とを備え、前記第１の筒壁上に、レンズが伸びる通光孔が形成される。
ところで、第１の筒壁上に通光孔を形成するには、筒壁の肉厚が一定の要求を満たしている必要がある。筒壁の厚さが増加すると、レンズモジュール全体の高さ及び重量が増加する。また、レンズ鏡筒を成形するときの困難性が高くなる。
したがって、新しいレンズモジュールを提供して上記の欠陥を克服する必要がある。
【発明の概要】
【発明が解決しようとする課題】
【０００３】
本発明は、従来のレンズモジュールが全体として長く、且つ重いことでグレアとなり易く、レンズモジュールの結像品質を低下させるという課題を解決したレンズモジュールを提供することを第一の目的とする。
【課題を解決するための手段】
【０００４】
上記の第一の目的を達成するために、本発明は、水平方向に延伸する第１の筒壁と、前記第１の筒壁から折曲って延伸する第２の筒壁とを備える鏡筒と、前記鏡筒内に取り付けられるレンズ群とを備えるレンズモジュールであって、前記レンズモジュールは、前記鏡筒内に設けられ、前記第１の筒壁と前記レンズ群との間に設けられた遮光シートを更に備える。前記遮光シート及び前記レンズ群は、物体側から像側まで順に配列され、前記遮光シートには通光孔が形成される。
【０００５】
本発明におけるレンズモジュールでは、前記遮光シートは中央に開口部を有するリング状の構造である。
また、本発明におけるレンズモジュールでは、前記レンズ群は第１のレンズを含み、前記第１のレンズは、第１の光学部と、前記第１の光学部を取り囲む第１の支持部とを備え、前記遮光シートは、前記第１の筒壁と前記第１の支持部との間に挟まれる。
【０００６】
また、本発明におけるレンズモジュールでは、前記第１の光学部の光軸方向による正投影は、少なくとも部分的に前記遮光シートに位置する。
【０００７】
また、本発明におけるレンズモジュールでは、前記第１のレンズには、前記第１の支持部から前記第１の筒壁へ延伸するボスが設けられ、前記遮光シートは、部分的にボスに位置する。
また、本発明におけるレンズモジュールでは、前記遮光シートには通光孔が形成され、前記レンズ群の軸心は、前記通光孔の軸心と同一の直線上に位置する。
【発明の効果】
【０００８】
遮光シートが第１の筒壁とレンズ群との間に設けられ、鏡筒内に設けられたレンズ群は、前記遮光シートを内面突出部に押し付け、遮光シートを利用して、レンズ群を取り付けるバリア構成を形成して、従来の筒体の一体成形の内部突起部を代替する。遮光シートの厚さは、内部突起部の鏡筒の軸方向に沿う厚さよりもはるかに小さいので、鏡筒の長さを相当に減少させることができる。次に、遮光シートの厚さが、内部突起部の鏡筒の軸方向に沿う厚さよりも遥かに小さいので、遮光シートの通光孔を介して、レンズ群に入る光線が遮光シートの内面に反射することが大幅に減少し、結像するときのグレアを弱くして、レンズモジュールの結像品質を向上させることができる。その他、鏡筒の天井の面が一定の厚さであることを確保する際、遮光シートを使用することによって鏡筒の長さを短くして、鏡筒の成形をするとき、その成形の困難さを低下させて、鏡筒の良品率を向上させることができる。
【図面の簡単な説明】
【０００９】
【図１】本発明の一つの実施例におけるレンズモジュールの模式図である。
【発明を実施するための形態】
【００１０】
以下、図面を参照しながら、本発明のレンズ及び結像デバイスの実施例を記述する。
図面を組み合わせながら詳細に記述することによって、本発明の上記の新規及び／または他の面及び利点は、より明白になり、より理解され易い。これらの図面は説明するためのものであり、本発明を制限するものではない。
以下に記述する実施例は、本発明の特定の具体的な実施態様であるが、本発明の思想を説明するためのもので、本発明を解釈・例示するものであり、本発明の実施形態及び本発明の範囲を制限するものではない。ここに記載する実施例以外に、当業者は、本願の特許請求の範囲及び明細書に開示された内容に基づいて、明白的な他の技術を採用することもできる。これらの技術案は、ここに記載する実施例に対して任意の明白的な代替または修正をする技術案を含む。
【００１１】
本明細書の図面は模式図であり、本発明の思想を補助して説明するものであって、各部の形状及びその相関関係を模式的に示している。本発明の実施例の各部の構成を明瞭に表現するために、各図面は同一の縮尺で作成されていない。なお、同一の符号は同じ部分を示すものである。
【００１２】
図１は、本発明の一つの実施例によるレンズモジュールを示す。前記レンズモジュールは、鏡筒１とレンズ群２を備え、前記レンズ群２は前記鏡筒１内に取り付けられている。前記鏡筒１は、水平方向に延伸する第１の筒壁１１と、前記第１の筒壁１１から折曲って延伸する第２の筒壁１２とを備えている。前記レンズモジュール群は、前記鏡筒１内に設けられ、第１の筒壁１１とレンズ群２との間に挟まれている遮光シート3を更に備えている。前記遮光シート３及び前記レンズ群２は、物体側から像側まで順に配列され、前記遮光シート３には通光孔４が形成されている。
図１に示されているレンズ群２は、第１のレンズ２１と第２のレンズ２２を備えている。当業者が理解できるように、図１に示すレンズ群は、例示であり、実際のレンズ群が備えるレンズの数は、鏡筒の種類の相違、焦点距離の相違によって大きく変化する。
【００１３】
前記物体側とは、このレンズモジュールを使用するとき鏡筒の物体側に近い側を意味し、前記像側は、物体側の反対側を意味する。図１において理解されるように、第１の筒壁１１は物体側に近く、第１の筒壁１１の鏡筒中心方向へ延伸する長さは、第２の筒壁１２よりも長い。
本発明の上記実施例におけるレンズモジュールでは、前記レンズ群２には第１のレンズ２１が設けられ、前記第１のレンズ２１は、第１の光学部２１１と、前記第１の光学部２１１を取り囲む第１の支持部２１２とを備えている。前記第１の光学部２１１の光軸方向での正投影は、少なくとも部分的に前記遮光シート３上に位置する。
【００１４】
本発明の上記実施例におけるレンズモジュール群では、前記第１のレンズ２１には、前記第１の支持部２１２から前記第１の筒壁へ延伸するボス２１３が設けられ、前記遮光シート３は、部分的にボス２１３上に設けられる。
【００１５】
本発明の上記実施例におけるレンズモジュール群では、前記レンズ群２の軸心と、前記通光孔４の軸心とは同一直線に位置する。
本発明の上記実施例におけるレンズモジュール群では、前記遮光シート３は中空のリンク状の構造である。具体的な実施過程では、前記遮光シート３の厚さは１ｍｍ〜５ｍｍである。遮光シートを使用する主要な目的は、通光孔の壁の内面の光反射を減少させることによって、レンズの結像の品質を向上させることであるから、遮光シートの厚さは、従来の既存の鏡筒の筒体と一体成形する内面突起部のレンズの軸方向に沿う厚さを超えないようにする。
【００１６】
本発明の上記実施例によれば、以下の有益な効果を奏し得る。
１．遮光シートが第１の筒壁とレンズ群との間に設けられ、鏡筒内に設けたレンズ群は、前記遮光シートを内面突出部に押し付け、遮光シートを利用してレンズ群を組み立てるバリア構成を形成して、従来の筒体の一体成形の内部突起部を代替する。遮光シートの厚さが、内部突起部の鏡筒の軸方向に沿う厚さよりもはるかに小さいので、鏡筒の長さが相当に減少する。
２．遮光シートの厚さが、内部突起部の鏡筒の軸方向に沿う厚さよりもはるかに小さいので、遮光シートの通光孔を介して、レンズ群に入る光線が遮光シートの内面に反射することが大幅に少なくなる。したがって、結像するときのグレアを弱くし、レンズの結像品質を向上させる。
３．鏡筒の天井の面が一定の厚さであることを確保する際、遮光シートを使用することによって、鏡筒の長さを短くし、鏡筒を成形する際に、その成形の困難さを低下させて、鏡筒の良品率を向上させる。
上記の開示されている各構成要件は、開示されたような他の構成要件との組み合わせに限っていない。当業者は、本発明の目的を達成できれば、発明の目的に基づいて各構成要件同士の他の組み合わせをすることもできる。        
【符号の説明】
【００１７】
１  鏡筒、１１  第１の筒壁、１２  第２の筒壁；
２  レンズ群、２１  第１のレンズ、  ２１１  第１の光学部、２１２  第１の支持部、２１３  ボス、２２  第２のレンズ；
３  遮光シート；
４  通光孔
【図１】
2017090877.tif 000003
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
水平方向に延伸する第１の筒壁と、前記第１の筒壁から折曲って延伸する第２の筒壁とを備える鏡筒と、前記鏡筒内に取り付けられているレンズ群を備えるレンズモジュールにおいて、
前記レンズモジュールは、前記鏡筒内に設けられており、且つ前記第１の筒壁と前記レンズ群との間に設けられている遮光シートを更に備え、前記遮光シート及び前記レンズ群は物体側から像側まで順に配列されており、
前記遮光シートは中空のリンク状の構造であり、
前記レンズ群は第１のレンズを含み、前記第１のレンズは第１の光学部と、前記第１の光学部を取り囲む第１の支持部とを備え、前記遮光シートは前記第１の筒壁と前記第１の支持部との間に挟まれており、
前記第１のレンズの第１の光学部は前記遮光シートから物体側に向けて突出している、 ことを特徴とするレンズモジュール。
【請求項２】
前記第１の光学部の光軸方向による正投影は少なくとも部分的に前記遮光シート上に位置することを特徴とする請求項１に記載のレンズモジュール。
【請求項３】
前記第１のレンズには前記第１の支持部から前記第１の筒壁に向けて延伸するボスが設けられおり、前記遮光シートは部分的に前記ボスに隣接して位置することを特徴とする請求項１に記載のレンズモジュール。
【請求項４】
前記遮光シートには通光孔が形成されており、前記レンズ群の軸心は、前記通光孔の軸心と同一の直線上に位置することを特徴とする請求項３に記載のレンズモジュール。